(57)【要約】【課題】  快適さが損なわれる時間及び機会をできるだけ低く抑えることのできる蓄熱式空気調和機を提供する。【解決手段】    蓄冷熱器４０が、室外機２０と室内機３０とで冷媒の循環経路を形成する往路と復路とに接続された蓄冷熱槽５と、室外機２０から流出入する冷媒が室内機３０のみに流れる第１の冷媒循環状態と蓄冷熱槽５のみに流れる第２の冷媒循環状態とに切り換えることが可能な複数の開閉弁又は切換弁７〜１０とを備えるとき、蓄冷運転時に第２の冷媒循環状態にするように開閉弁又は切換弁を制御すると共に、蓄冷熱槽の出口の冷媒温度と入口の冷媒温度との差が設定値以下に低下するように室外機の絞り装置の開度を制御し、この絞り装置の開度が所定値に低下したとき、検出された圧縮機の吸込側の冷媒温度と蓄冷熱槽の出口の冷媒温度との差が設定値以下に低下するように絞り装置の開度を制御する制御手段５０とを備える。【選択図】  図２
2005241039.tif 000002
【特許請求の範囲】
【請求項１】
室外機に収納されている圧縮機、室外熱交換器及び絞り装置と、室内機に収納されている室内熱交換器とが冷媒配管により順次接続されて冷房モードで運転することが可能な冷凍サイクルが形成され、かつ、前記室外機と室内機との間に蓄冷熱器が設けられ、前記蓄冷熱器は、前記室外機と室内機とで冷媒の循環経路を形成する往路と復路とに接続された蓄冷熱槽と、前記室外機から流出入する冷媒が前記室内機のみに流れる第１の冷媒循環状態と、前記蓄冷熱槽のみに流れる第２の冷媒循環状態とに切り換えることが可能な複数の開閉弁又は切換弁とを備えた蓄熱式空気調和機であって、
前記蓄冷熱槽の入口の冷媒温度を検出する蓄冷熱槽入口温度センサと、
前記蓄冷熱槽の出口の冷媒温度を検出する蓄冷熱槽の出口温度センサと、
前記圧縮機の吸込側の冷媒温度を検出する圧縮機吸込温度センサと、
蓄冷運転時に前記第２の冷媒循環状態にするように前記開閉弁又は切換弁を制御すると共に、検出された前記蓄冷熱槽の出口の冷媒温度と入口の冷媒温度との差が設定値以下に低下するように前記絞り装置の開度を制御し、この絞り装置の開度が所定値に低下したとき、検出された前記圧縮機の吸込側の冷媒温度と前記蓄冷熱槽の出口の冷媒温度との差が設定値以下に低下するように前記絞り装置の開度を制御する制御手段と、
を備えた蓄熱式空気調和機。
【請求項２】
室外機に収納されている圧縮機、四方弁、室外ファンを付帯する室外熱交換器及び絞り装置と、室内機に収納されている室内ファンを付帯する室内熱交換器とが冷媒配管により順次接続されて暖房モードと冷房モードとに切り換えて運転することが可能な冷凍サイクルが形成され、かつ、前記室外機と室内機との間に蓄冷熱器が設けられ、前記蓄冷熱器は、前記室外機と室内機とで冷媒の循環経路を形成する往路と復路とに接続された蓄冷熱槽と、前記室外機から流出入する冷媒が前記室内機のみに流れる第１の冷媒循環状態と、前記室内機及び前記蓄冷熱槽を直列的に流れる第２の冷媒循環状態とに切り換えることが可能な複数の開閉弁又は切換弁と、前記第２の冷媒循環状態で冷媒流量を調整する冷媒流量調整弁とを備えた蓄熱式空気調和機であって、
前記室外熱交換器の温度を検出する室外熱交換器温度センサと、
前記第２の冷媒循環循環経路の流量を調節する流量調節弁と、
暖房運転時に前記四方弁を暖房側に設定すると共に、前記第１の冷媒循環状態にするように前記開閉弁又は切換弁を制御し、検出された前記室外熱交換器の温度が設定値以下になったとき前記四方弁を冷房側に切換えると共に、前記第２の冷媒循環状態にするように前記開閉弁又は切換弁を制御して除霜運転し、除霜運転中に前記室外ファンを停止又は低速回転させると共に、前記室内ファンを低速回転させ、検出された前記室外熱交換器の温度が設定値以上になったとき、除霜運転を終了して前記四方弁を暖房側に復帰させると共に、前記第１の冷媒循環状態にするように前記開閉弁又は切換弁を制御する制御手段と、
を備えた蓄熱式空気調和機。
【請求項３】
室外機に収納されている圧縮機、室外熱交換器及び絞り装置と、室内機に収納されている室内熱交換器とが冷媒配管により順次接続されて暖房モードで運転することが可能な冷凍サイクルが形成され、かつ、前記室外機と室内機との間に蓄冷熱器が設けられ、前記蓄冷熱器は、前記室外機と室内機とで冷媒の循環経路を形成する往路と復路とに接続された蓄冷熱槽と、前記室外機から流出入する冷媒が前記室内機のみに流れる第１の冷媒循環状態と、前記室内機及び前記蓄冷熱槽を直列的に流れる第２の冷媒循環状態とに切り換えることが可能な複数の開閉弁又は切換弁とを備えた蓄熱式空気調和機であって、
前記蓄冷熱槽の蓄熱媒体を加熱する加熱ヒータと、
前記蓄冷熱槽の蓄熱媒体の温度を検出する蓄熱媒体温度センサと、
所定の電力時間帯に前記加熱ヒータに通電させ、検出された蓄熱媒体の温度が設定値を超えたとき前記加熱ヒータの通電を停止し、次回の暖房運転の起動時に前記第２の冷媒循環状態にするように前記開閉弁又は切換弁を制御する制御手段と、
を備えた蓄熱式空気調和機。
【発明の詳細な説明】
【技術分野】
【０００１】
本発明は、蓄熱媒体を貯留する蓄冷熱槽を備えた蓄熱式空気調和機に関する。
【背景技術】
【０００２】
空調負荷のピーク時における電力需要の軽減並びにオフピーク時における電力利用の拡大を図る手段として、空調負荷のオフピーク時に蓄熱媒体に蓄冷熱し、ピーク時に蓄熱を暖房運転に、冷熱を冷房運転にそれぞれ寄与させる蓄熱式空気調和機が開示されている（例えば、特許文献１参照。）。
【特許文献１】特開平３−２８６７２号公報
【発明の開示】
【発明が解決しようとする課題】
【０００３】
上述した従来の蓄熱式空気調和機は、蓄熱電力時間帯に蓄冷熱槽への蓄冷熱を実施しているが、蓄冷時に室外機絞り装置の開度が小さい側に絞られて、十分な蓄冷ができず、また、蓄熱電力時間帯は、空気調和機としての機能が果たせなくなり、快適な空間を提供できないことがあった。
【０００４】
また、暖房運転時に室外機に収納された圧縮機を使用する場合、この圧縮機の運転周波数制限がなかったため、蓄熱媒体の蓄熱を使い過ぎて電力ピーク時の負荷に対応できず、快適な空間を提供できなくなることもあった。
【０００５】
さらに、暖房運転における除霜時には、室内機の吹出し温度が極端に低下して快適さが損なわれることもあった。
【０００６】
さらにまた、暖房運転用の蓄熱電力時間帯に、次回の起動時に使用するために蓄熱媒体を高温化する必要があるが、そのためには、室外機に収納した圧縮機を高速回転させなればならず、夜間の騒音及び振動が大きくなるという問題もあった。
【０００７】
本発明は上記の問題点を解決するためになされたもので、その目的は快適さが損なわれる時間及び機会をできるだけ低く抑えることのできる蓄熱式空気調和機を提供することにある。
【０００８】
本発明の他の目的は、夜間の騒音や振動を低く抑えることのできる蓄熱式空気調和機を提供することにある。
【課題を解決するための手段】
【０００９】
請求項１に係る発明は、室外機に収納されている圧縮機、室外熱交換器及び絞り装置と、室内機に収納されている室内熱交換器とが冷媒配管により順次接続されて冷房モードで運転することが可能な冷凍サイクルが形成され、かつ、室外機と室内機との間に蓄冷熱器が設けられ、蓄冷熱器は、室外機と室内機とで冷媒の循環経路を形成する往路と復路とに接続された蓄冷熱槽と、室外機から流出入する冷媒が室内機のみに流れる第１の冷媒循環状態と、蓄冷熱槽のみに流れる第２の冷媒循環状態とに切り換えることが可能な複数の開閉弁又は切換弁とを備えた蓄熱式空気調和機であって、蓄冷熱槽の入口の冷媒温度を検出する蓄冷熱槽入口温度センサと、蓄冷熱槽の出口の冷媒温度を検出する蓄冷熱槽の出口温度センサと、圧縮機の吸込側の冷媒温度を検出する圧縮機吸込温度センサと、蓄冷運転時に第２の冷媒循環状態にするように開閉弁又は切換弁を制御すると共に、検出された蓄冷熱槽の出口の冷媒温度と入口の冷媒温度との差が設定値以下に低下するように絞り装置の開度を制御し、この絞り装置の開度が所定値に低下したとき、検出された圧縮機の吸込側の冷媒温度と蓄冷熱槽の出口の冷媒温度との差が設定値以下に低下するように絞り装置の開度を制御する制御手段と、を備えたものである。
【００１０】
請求項２に係る発明は、室外機に収納されている圧縮機、四方弁、室外ファンを付帯する室外熱交換器及び絞り装置と、室内機に収納されている室内ファンを付帯する室内熱交換器とが冷媒配管により順次接続されて暖房モードと冷房モードとに切り換えて運転することが可能な冷凍サイクルが形成され、かつ、室外機と室内機との間に蓄冷熱器が設けられ、蓄冷熱器は、室外機と室内機とで冷媒の循環経路を形成する往路と復路とに接続された蓄冷熱槽と、室外機から流出入する冷媒が室内機のみに流れる第１の冷媒循環状態と、室内機及び蓄冷熱槽を直列的に流れる第２の冷媒循環状態とに切り換えることが可能な複数の開閉弁又は切換弁と、第２の冷媒循環状態で冷媒流量を調整する冷媒流量調整弁とを備えた蓄熱式空気調和機であって、室外熱交換器の温度を検出する室外熱交換器温度センサと、第２の冷媒循環循環経路の流量を調節する流量調節弁と、暖房運転時に四方弁を暖房側に設定すると共に、第１の冷媒循環状態にするように開閉弁又は切換弁を制御し、検出された室外熱交換器の温度が設定値以下になったとき四方弁を冷房側に切換えると共に、第２の冷媒循環状態にするように開閉弁又は切換弁を制御して除霜運転し、除霜運転中に室外ファンを停止又は低速回転させると共に、室内ファンを低速回転させ、検出された室外熱交換器の温度が設定値以上になったとき、除霜運転を終了して四方弁を暖房側に復帰させると共に、第１の冷媒循環状態にするように開閉弁又は切換弁を制御する制御手段と、を備えたものである。
【００１１】
請求項３に係る発明は、室外機に収納されている圧縮機、室外熱交換器及び絞り装置と、室内機に収納されている室内熱交換器とが冷媒配管により順次接続されて暖房モードで運転することが可能な冷凍サイクルが形成され、かつ、室外機と室内機との間に蓄冷熱器が設けられ、蓄冷熱器は、室外機と室内機とで冷媒の循環経路を形成する往路と復路とに接続された蓄冷熱槽と、室外機から流出入する冷媒が室内機のみに流れる第１の冷媒循環状態と、室内機及び蓄冷熱槽を直列的に流れる第２の冷媒循環状態とに切り換えることが可能な複数の開閉弁又は切換弁とを備えた蓄熱式空気調和機であって、蓄冷熱槽の蓄熱媒体を加熱する加熱ヒータと、蓄冷熱槽の蓄熱媒体の温度を検出する蓄熱媒体温度センサと、所定の電力時間帯に加熱ヒータに通電させ、検出された蓄熱媒体の温度が設定値を超えたとき加熱ヒータの通電を停止し、次回の暖房運転の起動時に第２の冷媒循環状態にするように開閉弁又は切換弁を制御する制御手段と、を備えたものである。
【発明の効果】
【００１２】
上記のように構成したことにより、快適さが損なわれる時間及び機会をできるだけ低く抑えることのできる蓄熱式空気調和機を提供することができる。
【発明を実施するための最良の形態】
【００１３】
以下、本発明を図面に示す好適な実施例に基づいて詳細に説明する。
【実施例１】
【００１４】
図１は本発明に係る蓄熱式空気調和機の第１実施例の冷凍サイクル系統図である。この蓄熱式空気調和機は室外機２０と室内機３０との間に蓄冷熱器４０を接続した構成になっている。このうち、室外機２０は圧縮機１の吸込側と吐出側との間に四方弁４が冷媒配管で接続され（以下、冷媒配管で、を省略する）、四方弁４の一方の流出入口が接栓２０ａに直接接続され、四方弁４の他方の流出入口には室外熱交換器２の一端が接続され、この室外熱交換器２の他端が、室外機絞り装置３を介して、接栓２０ｂに接続されている。室内機３０においては室内熱交換器１３の一端が接栓３０ａに、その他端が接栓３０ｂにそれぞれ接続されている。
【００１５】
蓄冷熱器４０は、室外機２０の接栓２０ａ，２０ｂにそれぞれ接続される接栓４０ａ，４０ｂと、室内機３０の接栓３０ａ，３０ｂにそれぞれ接続される接栓４０ｃ，４０ｄとを備え、その内部に蓄冷熱熱交換器６を含んでなる蓄冷熱槽５を備えている。この蓄冷熱器４０の内部において、蓄冷熱槽５に第１の開閉弁７が並列に接続されている。そして、接栓４０ａと接栓４０ｃとが直接接続され、接栓４０ｂは、第２の開閉弁８及び第１の冷媒流量調整弁１１を介して、接栓４０ｄに接続されている。そして、蓄冷熱槽５に並列に接続された第１の開閉弁７には第２の冷媒流量調整弁１２が直列に接続されている。また、蓄冷熱槽５の一端は、第３の開閉弁９を介して、接栓４０ａ及び接栓４０ｃを接続する管路に接続されている。蓄冷熱槽５の他端は第４の開閉弁１０を介して、接栓４０ｂ及び第２の開閉弁８を接続する管路に接続されている。第２の開閉弁８及び第１の冷媒流量調整弁１１の相互接続点と、第１の開閉弁７及び第２の冷媒流量調整弁１２の相互接続点とが接続されている。
【００１６】
上述した室外機絞り装置３、開閉弁７，８，９，１０、冷媒流量調整弁１１，１２等を制御するために、蓄冷熱槽５の一端部に蓄冷熱槽出口温度センサ１５が、蓄冷熱槽５の他端部に蓄冷熱槽入口温度センサ１４が設けられ、さらに、圧縮機１の吸い込み側に圧縮機吸込温度センサ１６が設けられ、室外熱交換器２にはその温度を検出する室外熱交換器温度センサ１７が設けられている。
【００１７】
図２は図１に示した冷凍サイクル系統を制御する制御系の構成を示すブロック図であり、図中、図１と同一の符号を付したものはそれぞれ同一の要素を示している。この図２において制御装置５０は演算処理部としてのＣＰＵ５１と、このＣＰＵ５１の演算処理上のワーキングエリア又は入出力のバッファとして用いられるＲＡＭ５２と、ＣＰＵ５１の演算処理に必要な制御手順及び固定データを予め書込み、必要に応じてＣＰＵ５１に提供するＲＯＭ５３と、周辺機器と物理的に接続して情報の認識を可能にする入出力インタフェース５４とが共通のバスで接続されている。そして、周辺機器として、前述した室外機絞り装置３、第１の開閉弁７〜第４の開閉弁１０、第１の冷媒流量調整弁１１及び第２の冷媒流量調整弁１２、蓄冷熱槽入口温度センサ１４、蓄冷熱槽出口温度センサ１５、圧縮機吸込温度センサ１６及び室外熱交換器温度センサ１７が入出力インタフェース５４に接続され、さらに、圧縮機１を能力制御するインバータ装置２１、室内ファン３１、ルーバ３２及び前面パネル３３が入出力インタフェース５４に接続されている。
【００１８】
上記のように構成された第１実施例の動作について、以下に説明する。夜間の蓄熱電力時間帯にて、蓄冷熱槽５によって蓄熱媒体を製氷する蓄冷運転時には、室内熱交換器１３に冷媒が流入しないように第２の開閉弁８を閉じると共に、蓄冷熱槽５の両端部にそれぞれ設けられた第３の開閉弁９及び第４の開閉弁１０を開く。また、四方弁４は図示した状態に切り換えられる。従って、圧縮機１を運転することによって、冷媒は圧縮機１→四方弁４→室外熱交換器２→室外機絞り装置３→第４の開閉弁１０→蓄冷熱熱交換器６→第３の開閉弁９→四方弁４→圧縮機１の経路で循環する。このとき、室外熱交換器２は凝縮器として機能し、蓄冷熱熱交換器６は蒸発器として機能することから蓄冷熱槽５において蓄冷が行われる。このとき、蓄冷熱槽５の入口温度と出口温度との差が設定値になるように室外機絞り装置３の開度を調節する。このとき蓄冷が進むに従って室外機絞り装置３の開度は絞られてゆくが、所定の開度まで絞り込まれると冷媒が不足する、いわゆる、冷媒不足サイクルとなる。この冷媒不足サイクルを防ぐために、今度は蓄冷熱槽５の出口温度と圧縮機１の吸込側温度との差が所定値になるように室外機絞り装置３の開度を調節する。
【００１９】
図３は上記の制御を実施するＣＰＵ５１の具体的処理手順を示すフローチャートである。以下、このフローチャートに従って詳しい動作を説明する。この制御は夜間の蓄熱電力時間帯になると開始されるもので、ステップ１０１でセット運転中すなわち空気調和機が運転中であるか否かが判定され、運転中であればステップ１０２で室内ファン３１を停止させ、ステップ１０３でルーバ３２や前面パネル３３を閉じる。これによって、室内機３０を運転停止と同様な状態にする。ステップ１０１で運転中でないと判定された場合には、直接ステップ１０４以降の処理を実行する。ステップ１０４では第３の開閉弁９及び第４の開閉弁１０を開き、ステップ１０５で第２の開閉弁８を閉じる。
【００２０】
次に、ステップ１０６で室外機絞り装置３を初期開度に設定し、ステップ１０７にて圧縮機１の運転を開始し、その運転周波数を予め定めた値に固定する。ステップ１０８では、蓄冷熱槽出口温度センサ１５及び蓄冷熱槽入口温度センサ１４でそれぞれ検出される温度差、すなわち、（蓄冷熱熱交換器出口温度−蓄冷熱熱交換器入口温度）が予め設定した温度以下であるか否かを判定し、設定した温度以下でないときにはステップ１０９で室外機絞り装置３の開度を固定し、設定した温度以下であればステップ１１０で室外機絞り装置３の開度を絞る方向に調節する。そして、ステップ１１１で室外機絞り装置３の開度が低い側に設定した設定開度に到達したか否かを判定し、この設定開度に到達するまでステップ１０８〜１１１の処理を繰り返す。設定開度に到達した段階でステップ１１２以下の処理を実行する。
【００２１】
ステップ１１２においては、圧縮機吸込温度センサ１６及び蓄冷熱槽出口温度センサ１５でそれぞれ検出される温度差、すなわち、（圧縮機吸込温度−蓄冷熱槽出口温度）が予め設定した温度以下であるか否かを判定し、設定した温度以下でないときにはステップ１１３で室外機絞り装置３の開度を開く方向に調節し、設定した温度以下であればステップ１１４で室外機絞り装置３の開度を固定する。そして、ステップ１１５で蓄熱時間を設定したタイマの設定時間が経過したか否かを判定し、経過するまでステップ１１２〜１１５の処理を繰り返す。このタイマの設定時間を経過したと判定された場合にはステップ１１６で蓄冷運転モードを終了する。
【００２２】
これによって、冷媒が過剰に循環されたときに発生する液バックを防いで高効率の運転を可能にすると共に、室外機絞り装置３を過絞りにしたときに発生しやすい冷媒不足サイクルを防止することができる。
【実施例２】
【００２３】
図１に示した冷凍サイクル系統図及び図２に示した冷凍サイクル系統を制御する制御系を用いて、冷房運転と蓄冷運転を併用する冷房蓄冷併用運転を行うことができる。これを第２実施例として以下に説明する。
【００２４】
この運転モードは、冷房運転をしながら、蓄熱電力時間帯になった場合、第３の開閉弁９を開き、室外機絞り装置３を全開とし、続いて、第１の冷媒流量調整弁１１及び第２の冷媒流量調整弁１２の開度、並びに圧縮機１の能力を調節するものである。一方、蓄冷運転中に、冷房運転指令を受けた場合には、第２の開閉弁８を開き、第４の開閉弁１０を閉じる。そして、室外機絞り装置３を全開とし、第１の冷媒流量調整弁１１及び第２の冷媒流量調整弁１２の開度、並びに圧縮機１の能力を調節する。
【００２５】
図４は上記の制御を実施するＣＰＵ５１の具体的処理手順を示すフローチャートである。以下、このフローチャートに従って詳しい動作を説明する。この制御は夜間の蓄熱電力時間帯になると開始されるもので、ステップ１２１で冷房モード又は除湿モードで運転中か否かを判定し、運転中であればステップ１２２に進んで冷房蓄冷併用運転を開始し、ステップ１２３で第３の開閉弁９を開いてステップ１３０以下の処理を実行する。一方、冷房モード又は除湿モードで運転中でない場合にはステップ１２４で停止の状態とし、ステップ１２５で通常の蓄冷運転を開始する。そして、ステップ１２６で冷房運転指令が与えられたか否かを判定し、与えられた場合にはステップ１２８で第２の開閉弁８を開き、ステップ１２９で第４の開閉弁１０を閉じてステップ１３０以下の処理を実行する。ステップ１２６で冷房運転指令が与えられていないと判定した場合にはステップ１２７で通常の蓄冷運転を継続してステップ１２６の処理に戻る。
【００２６】
次に、ステップ１３０においては、室外機絞り装置３を全開とし、続いて、ステップ１３１にて圧縮機１を駆動するインバータ装置２１の出力周波数を蓄冷用の一定値に固定する。さらに、ステップ１３２で蓄冷熱槽出口温度センサ１５で検出される蓄冷熱熱交換器６の出口温度が設定温度以下か否かを判定し、設定温度以下であればステップ１３５の処理に進み、設定温度以下でなければステップ１３３で第１の冷媒流量調整弁１１の開度を第２の冷媒流量調整弁１２の開度より小さくし、続いて、ステップ１３４で圧縮機１を駆動するインバータ装置２１の出力周波数を予め設定された値だけ上昇させてステップ１３２の処理に戻る。
【００２７】
次に、ステップ１３５においては、蓄冷熱熱交換器６の出口温度が設定温度以下である状態を継続しているか否かを判定し、継続していなければステップ１３４の処理に戻り、継続しておればステップ１３６にて圧縮機１を駆動するインバータ装置２１の出力周波数を固定した状態を継続し、ステップ１３７にて冷房運転指令が解除されたか否かを判定し、解除されておればステップ１２５の処理に戻り、解除されていなければステップ１３８にて冷房蓄冷併用運転を継続する。
【００２８】
通常、蓄熱電力時間帯は、蓄冷運転のみしか実施できないが、家庭用の空気調和機では蓄冷運転時間でも、通常冷房運転を実施する可能性がある。本実施例では２つの冷媒流量調整弁を使用し、冷媒流量を適正に配分すると共に、圧縮機の能力を可変することによって、蓄冷しながら同時に通常冷房にも対応できるという効果も得られる。
【実施例３】
【００２９】
図１に示した冷凍サイクル系統図及び図２に示した冷凍サイクル系統を制御する制御系を用いて、蓄熱媒体の冷熱の使い過ぎ、及び入力の低減を図ることができる。これを第３実施例として以下に説明する。
【００３０】
蓄冷熱槽５の冷熱のみを使用して冷房運転を行う放熱冷房時には、蓄冷熱槽５に蓄冷した蓄熱媒体を利用するため、第１の開閉弁７及び第４の開閉弁１０を開き（第３の開閉弁９は全閉）、室外機絞り装置３を全開状態とする。室外機絞り装置３を全開状態とすることによって、圧縮機１は冷媒ポンプの機能を担う冷媒ポンプ運転となる。この冷媒ポンプ運転状態は、圧縮機１毎に設定されているインバータ装置２１の出力周波数の範囲において、定格周波数以下の範囲でのみ運転する。定格周波数以上で運転する場合には第１の冷媒流量調整弁１１によって適宜調整する。
【００３１】
図５はこの制御を実施するＣＰＵ５１の具体的処理手順を示すフローチャートである。以下、このフローチャートに従って詳しい動作を説明する。放熱運転開始後のステップ１４１で第１の開閉弁７及び第４の開閉弁１０を開き、ステップ１４２にて室外機絞り装置３を全開の状態にする。続いて、ステップ１４３で圧縮機１を運転するインバータ装置２１の出力周波数が定格周波数以下か否かを判定する。ここで、定格周波数以下と判定された場合にはステップ１４４にて第１の冷媒流量調整弁１１を全開とする。定格周波数以下ではないと判定された場合にはステップ１４５で第１の冷媒流量調整弁１１の開度を調節してステップ１４３の周波数判定処理に戻る。ステップ１４４で第１の冷媒流量調整弁１１を全開した場合にはステップ１４６でインバータ装置２１の出力周波数が定格周波数以下か否かを判定し、定格周波数以下である状態を継続しておればステップ１４７の処理に進み、定格周波数以下でないと判定された場合にはステップ１４５に戻り、再度第１の冷媒流量調整弁１１の開度を調節する。ステップ１４７では蓄冷熱槽出口温度センサ１５の検出温度に基づき蓄熱量が残っているか否かを判定し、残っている場合にはステップ１４３の処理に戻り、残っていなければステップ１４８にて通常の冷房運転を実行する。
【００３２】
一般に、放熱冷房運転全般にわたって蓄冷熱槽５に蓄冷された蓄熱媒体を利用すると、蓄熱媒体の蓄熱状態を維持することができなくなり、電力ピーク時における空調負荷に対応できなくなる。そこで、上記の制御を行うことによって、起動からインバータ装置２１の周波数が一定値以下に下がるまでの間、又は、定格周波数を超えている間は第１の冷媒流量調整弁１１の開度を絞って蓄熱媒体の蓄熱の使い過ぎを防ぎ、さらに、消費電力を低減することができる。
【００３３】
通常、蓄熱式空気調和機では圧縮機の他に放熱運転専用の冷媒ポンプを設けているものが殆どであるが、本実施例では圧縮機を冷媒ポンプとして運転することができるため、装置のコストダウンを図ることができる。
【実施例４】
【００３４】
第３実施例は圧縮機を冷媒ポンプとして運転しているが、このとき、室外ファンを通常の速度で運転すると冷凍サイクルが不安定になる。図６は圧縮機の吐出温度が室外気温より下回った場合に室外ファンを停止又は低速回転させて冷凍サイクルを安定させる第４実施例を示すフローチャートである。以下、このフローチャートに従って詳しい動作を説明する。
【００３５】
放熱運転開始後のステップ１５１で第１の開閉弁７及び第４の開閉弁１０を開き、ステップ１５２にて室外機絞り装置３を全開の状態にする。続いて、ステップ１５３で圧縮機１を運転するインバータ装置２１の出力周波数が定格周波数以下か否かを判定する。ここで、定格周波数以下と判定された場合にはステップ１５４にて第１の冷媒流量調整弁１１を全開とする。定格周波数以下ではないと判定された場合にはステップ１５５で第１の冷媒流量調整弁１１の開度を調節してステップ１５３の周波数判定処理に戻る。次に、ステップ１５６で、それぞれ図示を省略した圧縮機１の吐出側の温度センサの検出値と外気温センサの検出値とを比較し、吐出側温度より外気温が高い場合にはステップ１５８で室外ファンを停止又は低速回転させ、再びステップ１５６の処理に戻り温度差を確認し、吐出温度が外気温以上になったとき、ステップ１５７の処理に進む。ステップ１５７ではインバータ装置２１の出力周波数が定格周波数以下か否かを判定し、定格周波数以下である状態を継続しておればステップ１５９の処理に進み、定格周波数以下でないと判定された場合にはステップ１５５に戻り、再度第１の冷媒流量調整弁１１の開度を調節する。ステップ１５９では蓄冷熱槽出口温度センサ１５の検出温度に基づき蓄熱量が残っているか否かを判定し、残っている場合にはステップ１５３の処理に戻り、残っていなければステップ１６０にて通常の冷房運転を実行する。
【００３６】
かくして、第４実施例によれば、圧縮機の吐出側の温度が外気温より下回った場合に、室外ファンを停止又は低速回転させることによって冷凍サイクルの運転を安定させることができる。
【実施例５】
【００３７】
上述した第４実施例では、圧縮機の吐出側温度が外気温より低くなっている場合に室外ファンを停止又は低速回転させる制御を行っている。この状態で室外機の制御基板の温度が上昇して、基板の信頼性低下を招くことがある。図７は室外機の基板に装着された図示省略の温度センサの検出温度に基づいて、制御基板が過熱することがないように室外ファンを設定回転数にて運転したり、停止又は低速回転させる第５実施例を示した線図である。ここでは、温度センサの検出温度が予め設定した設定温度Ａ以上に上昇した場合、室外ファンを設定された回転数で運転する。そして、温度センサの検出温度が予め設定した設定温度Ｂ（＜Ａ）以下に降下した場合には室外ファンを停止又は低速回転とする。初期値はこの停止と低速回転のいずれか一方の選択を可能にする。
【００３８】
かくして、第５実施例によれば、室外機の制御基板に装着されている温度センサの検出値を使用して、室外ファンを停止又は低速回転させた場合でも、室外機の制御基板の過熱による信頼性低下を防止することができる。
【実施例６】
【００３９】
図８は本発明に係る蓄熱式空気調和機の第６実施例を説明するために、図３に示したフローチャートに対応するＣＰＵ５１の処理手順を示したフローチャートである。本実施例は蓄冷熱槽５の蓄熱媒体の温度を検出する図示省略の温度センサを設け、この温度センサの検出値に応じて蓄冷熱槽５内に設けた攪拌手段（図示せず）を運転停止させる機能を付加したものである。図８の処理ステップ中、ステップ１６１〜１６７は図３中のステップ１０１〜１０７の処理と同じであり、また、ステップ１６９〜１７１は図３中のステップ１０８〜１１０の処理と同じであり、さらに、ステップ１７５〜１８０は図３中のステップ１１１〜１１６の処理と同じである。ここでは、ステップ１６７の後に攪拌機能の運転を開始する処理を付加した点、さらにステップ１７２にて蓄熱媒体の温度が設定値以下に下がったか否かを判定し、下がっていなければステップ１７３にて攪拌機能を継続し、下がっておればステップ１７４にて攪拌機能を停止する処理を付加した点が図３に示す第１実施例と異なっている。
【００４０】
一般に、蓄冷熱槽５内に攪拌機を設けて蓄冷熱を効率的に行うようにしているが、例えば、蓄熱媒体が氷った状態で通電すると攪拌機が破損することがある。本実施例は図３に示した処理手順に、上述したステップ１６８、１７２〜１７４の処理を付加することによって、攪拌手段の破損を未然に防止することができる。
【実施例７】
【００４１】
蓄熱電力時間帯において室外気温が低いときには蓄冷運転の能力を下げて運転し、逆に室外気温が高いときには蓄冷能力を上げて運転することにより、無駄な蓄冷運転を回避することができる。図９はこのことを考慮してインバータ装置２１の出力周波数を決定する例であり、室外気温の変動範囲をＡ，Ｂ，…，ｎ（Ａ＞Ｂ＞…＞ｎ）を境としてｎ＋１個に区分けし、そのときの外気温がどのゾーンに属するかによってインバータ装置２１の出力周波数をＨｚ１，Ｈｚ２，…，Ｈｚｎ（Ｈｚ１＞Ｈｚ２＞…＞Ｈｚｎ）に設定して運転する。なお、制御のハンチングを防止するために外気温が上昇傾向にある場合と下降傾向にある場合とて゛一般にヒステリシスと称される温度差を持たせている。
【００４２】
かくして、第７実施例によれば、外気温が変化した場合でも、外気温が高いことによる蓄冷時間の不要な延長や、外気温度が低い場合の無駄な蓄冷運転をなくして電力消費の抑制と、安定した蓄冷運転ができるという効果も得られる。
【実施例８】
【００４３】
図１に示した冷凍サイクル系統図及び図２に示した冷凍サイクル系統を制御する制御系を用いて、暖房運転時に除霜しても温風の吹出しが停止されることのない運転ができる。これを第８実施例としてその動作を以下に説明する。
【００４４】
蓄熱電力時間帯に蓄冷熱槽５に蓄熱されているか、又は蓄熱中であったとする。そして、暖房運転時に除霜運転が必要になった場合、蓄冷熱槽５に蓄えられた蓄熱媒体の熱を除霜に使用することによって、温風の吹出しが停止されることのない連続運転が可能となる。
【００４５】
すなわち、暖房運転時に、室外熱交換器温度センサ１７で検出された温度が設定値以下になった場合、第２の開閉弁８を閉じ、第１の開閉弁７及び第４の開閉弁１０を開け、室外機絞り装置３を調節する。次に、室内ファン３１を低速運転とし、室外ファン（図示せず）を低速運転することによって、室外熱交換器２の除霜が行われ、かつ、蓄冷熱槽５の蓄熱媒体に蓄えられた熱が冷媒に伝えられ、この冷媒が室内熱交換器１３に循環せしめられる。このとき、第１の冷媒流量調整弁１１は室外熱交換器温度センサ１７及び室内熱交換器の温度センサ（図示せず）の各検出値に基づいて制御する。
【００４６】
暖房併用蓄熱運転時に、室外熱交換器温度センサ１７で検出された温度が設定値以下になった場合、第２の開閉弁８及び第３の開閉弁９を閉じ、第１の開閉弁７及び第４の開閉弁１０を開け、室外機絞り装置３の開度を調節する。この場合、第２の冷媒流量調整弁１２は全閉とし、第１の冷媒流量調整弁１１は室外熱交換器温度センサ１７及び室内熱交換器の温度センサ（図示せず）の各検出値に基づいて制御する。
【００４７】
図１０は上記の制御を実施するＣＰＵ５１の具体的処理手順を示すフローチャートである。以下、このフローチャートに従って詳しい動作を説明する。先ず、暖房運転開始後のステップ１８１で、室外熱交換器温度センサ１７によって検出された室外熱交換器２の温度が、除霜の要否を判定する設定値以下か否かを判定し、設定値以下でないときはステップ１８２でそのまま暖房運転を継続する処理を行ってステップ１８１の処理に戻る。ステップ１８１で設定値以下と判定された場合にはステップ１８３にて第１の開閉弁７及び第４の開閉弁１０を開き、続いて、ステップ１８４で通常の暖房運転中か否かを判定する。通常の暖房運転中であれば、それまで開いていた第２の開閉弁８をステップ１８５で閉じてステップ１８７の処理に進む。通常の暖房運転でなく、暖房併用蓄熱運転をしていたとすれば、それまで開いていた第２の開閉弁８及び第３の開閉弁９をステップ１８６で閉じてステップ１８７の処理に進む。
【００４８】
ステップ１８７においては室外機絞り装置３の開度を調節し、ステップ１８８で室外ファンを停止又は低速運転とする。続いて、ステップ１８９で室内ファン３１が低速回転中か否かを判定し、低速回転中であればステップ１９１の処理に進み、低速回転中でなければステップ１９０で室内ファン３１を低速回転状態にしてステップ１９１の処理に進む。ステップ１９１では室内熱交換器温度センサ及び室外熱交換器温度センサ１７の検出値に基づいて第１の冷媒流量調整弁１１の開度を調節する。次に、ステップ１９２にて室外熱交換器温度センサ１７の検出温度が設定値以上か否かを判定し、設定値以上になることを待つ。そして、設定値以上になったとき、ステップ１９３で除霜運転を終了して通常の暖房運転又は暖房併用運転に戻る。
【００４９】
通常暖房時の除霜運転は、室内機３０から温風の吹き出しを停止させるのが一般的であり、蓄熱式空気調和機においても蓄熱を利用して除霜時間の短縮を図っているものが多いが、やはり、温風の吹き出しを停止させていた。
【００５０】
これに対して、本実施例では、暖房運転中に蓄冷熱槽５の蓄熱媒体の熱を利用して除霜を行うため、室内機３０からの温風の吹き出しを継続させることが可能となる。
【実施例９】
【００５１】
図１１は本発明に係る蓄熱式空気調和機の第９実施例の冷凍サイクル系統図であり、図中、第１実施例を示す図１と同一の要素には同一の符号を付してその説明を省略する。この実施例は次回の暖房運転の起動時の速温風吹出しに対応するために、蓄熱電力時間帯に蓄冷熱槽５に加熱ヒータ１８を設置して蓄熱冷媒を加熱するようにした点が図１と構成を異にし、これ以外は全て図１と同一に構成されている。この場合、加熱ヒータ１８は入出力インタフェース５４に接続されることになる。
【００５２】
図１２は上記の制御を実施するＣＰＵ５１の具体的処理手順を示すフローチャートである。以下、このフローチャートに従って詳しい動作を説明する。先ず、暖房運転開始後のステップ２０１で、蓄熱電力時間帯か否かを判定し、蓄熱電力時間帯でなければステップ２０２にて通常の暖房運転又は暖房併用蓄熱運転を実行し、蓄熱電力時間帯であればステップ２０３で蓄冷熱槽５の蓄熱媒体を迅速に過熱する速温設定がなされているか否かを判定し、速温設定がなされていなければステップ２０４で圧縮機１による蓄熱運転モードを実行し、速温設定がなされておればステップ２０５で加熱ヒータ１８による過熱動作を実行する。そして、ステップ２０６で蓄冷熱槽５の蓄熱媒体の温度が設定値以上か否かを判定し、設定値以上でなければステップ２０５による加熱動作とステップ２０６の判定動作を繰り返す。そして、設定値以上であると判定された場合にはステップ２０７で加熱ヒータ１８による加熱動作を停止する。
【００５３】
通常の暖房運転の起動時には、室内熱交換器が暖まるまで温風を吹き出させないのが一般的であるが、第９実施例によれば、蓄冷熱槽５に加熱ヒータ１８を設けることにより、夜間に蓄熱しておいた蓄熱媒体を使用することにより起動後、即時に温風を吹出させることが可能となる。
【００５４】
また、第９実施例によれば加熱ヒータ１８を使用できる時間帯を電気代が安価な蓄熱電力時間帯のみに制限することによって、電気代を低く抑えることができる。さらに、蓄熱電力時間帯に圧縮機１を駆動しないため、夜間の騒音を未然に防止することができる。
【実施例１０】
【００５５】
例えば、冬季のように外気温が低下すると、蓄冷熱槽５の蓄熱冷媒が氷ってしまうことが考えられる。このために、空気調和機の運転停止中又は通常運転中に蓄熱冷媒の温度が設定値以下に降下したとき、加熱ヒータ１８を強制通電することによってこのような不具合を解消することができる。
【００５６】
図１３はこの動作を実行するためのＣＰＵ５１の具体的処理手順を示すフローチャートである。以下、このフローチャートに従って詳しい動作を説明する。先ず、運転停止中であるか通常運転中であるかに拘わらず、ステップ２１１で蓄冷熱槽５の蓄熱冷媒温度が予め設定した設定温度以下か否かを判定し、設定温度以下でなければステップ２１２で加熱ヒータ１８に対して非通電状態を継続する。蓄熱冷媒の温度が設定温度以下であると判定されたときはステップ２１３で加熱ヒータ１８に対して通電を行う。続いて、ステップ２１４で、ステップ２１１とはある温度差だけヒステリシスを持たせた設定温度以上か否かを判定し、設定温度以上になるまでステップ２１３の通電処理とステップ２１４の判定処理を繰り返す。そして、設定温度以上になったと判定したときは、ステップ２１５で加熱ヒータ１８に対する通電を解除し、ステップ２１１の処理にもどる。
【００５７】
かくして、第１０実施例によれば、外気温の低下により、蓄冷熱槽５の蓄熱媒体が氷結する等、固化してしまうことを防止することができる。
【他の実施例】
【００５８】
上述した第１乃至第１０実施例では、冷媒の循環経路を変更するために第１の開閉弁７乃至第４の開閉弁１０を用いたが、これらの開閉弁の少なくとも一部を三方弁等の切換弁を用いることも可能であり、これによって、構成の簡易化やコストダウンを図ることができる。
【図面の簡単な説明】
【００５９】
【図１】本発明に係る蓄熱式空気調和機の第１実施例の冷凍サイクル系統図。
【図２】第１実施例の冷凍サイクル系統を制御する制御系の構成を示すブロック図。
【図３】第１実施例を構成するＣＰＵの具体的処理手順を示すフローチャート。
【図４】本発明に係る蓄熱式空気調和機の第２実施例を構成するＣＰＵの具体的処理手順を示すフローチャート。
【図５】本発明に係る蓄熱式空気調和機の第３実施例を構成するＣＰＵの具体的処理手順を示すフローチャート。
【図６】本発明に係る蓄熱式空気調和機の第４実施例を構成するＣＰＵの具体的処理手順を示すフローチャート。
【図７】本発明に係る蓄熱式空気調和機の第５実施例を説明するために、室外機の制御基板の温度検出値と室外ファンの関係を示した線図。
【図８】本発明に係る蓄熱式空気調和機の第６実施例を構成するＣＰＵの具体的処理手順を示すフローチャート。
【図９】本発明に係る蓄熱式空気調和機の第７実施例を説明するために、室外気温と圧縮機運転周波数との関係を示した図。
【図１０】第８実施例を構成するＣＰＵの具体的処理手順を示すフローチャート。
【図１１】本発明に係る蓄熱式空気調和機の第９実施例の冷凍サイクル系統図。
【図１２】第９実施例を構成するＣＰＵの具体的処理手順を示すフローチャート。
【図１３】本発明に係る蓄熱式空気調和機の第１０実施例を構成するＣＰＵの具体的処理手順を示すフローチャート。
【符号の説明】
【００６０】
１  圧縮機
２  室外熱交換器
３  室外機絞り装置
４  四方弁
５  蓄冷熱槽
６  蓄冷熱熱交換器
７  第１の開閉弁
８  第２の開閉弁
９  第３の開閉弁
１０  第４の開閉弁
１１  第１の冷媒流量調整弁
１２  第２の冷媒流量調整弁
１３  室内熱交換器
１４  蓄冷熱槽入口温度センサ
１５  蓄冷熱槽出口温度センサ
１６  圧縮機吸込温度センサ
１７  室外熱交換器温度センサ
１８  加熱ヒータ
２０  室外機
３０  室内機
４０  蓄冷熱器
【図１】
2005241039.tif 000003
【図２】
2005241039.tif 000004
【図３】
2005241039.tif 000005
【図４】
2005241039.tif 000006
【図５】
2005241039.tif 000007
【図６】
2005241039.tif 000008
【図７】
2005241039.tif 000009
【図８】
2005241039.tif 000010
【図９】
2005241039.tif 000011
【図１０】
2005241039.tif 000012
【図１１】
2005241039.tif 000013
【図１２】
2005241039.tif 000014
【図１３】
2005241039.tif 000015